(57)【要約】【課題】  携帯型プリンタ側での印字に関わる操作を省くとともに、携帯型プリンタの小型化やコストダウンを図るようにする。【解決手段】  携帯型プリンタ１００に、少なくともたとえば赤外線通信によって携帯電話２００からの文字データ等を受信する赤外線送受信部１０５と、受信した文字データ等が印字データに変換されると、その印字データに基づいて印字を行う印字ヘッドとを搭載し、さらに携帯型プリンタ１００のプリンタ本体１０１の表面の任意の箇所に、印字フォーマットである横書きを選択できる書式制御情報が含まれているコード情報１１１と、縦書きを選択できる書式制御情報が含まれているコード情報１１２とを設け、携帯電話２００の内蔵カメラ２０４によってコード情報１１１，１１２のいずれかを撮影するだけで横書き、縦書きのいずれかが選択されるようにする。【選択図】  図１
2005335316.tif 000002
【特許請求の範囲】
【請求項１】
携帯電話からの印字に関わるデータを受信して印字を行う携帯型プリンタであって、
前記携帯電話からの印字に関わるデータを赤外線通信によって受信するデータ受信手段と、
前記印字に関わるデータが受信されると、前記印字に関わるデータを印字データに変換する制御手段と、
前記印字に関わるデータが印字データに変換されると、その印字データに基づいて印字を行う印字手段とを備え、
さらにプリンタ本体の表面に、印字フォーマットを選択できるコード情報を設け、
前記制御手段は、前記コード情報を内蔵カメラにより撮影して解読した前記携帯電話からの前記印字に関わるデータを受信すると、そのデータに含まれる前記印字フォーマットを解読した制御情報に基づき前記印字手段に対し印字を行わせる
ことを特徴とする携帯型プリンタ。
【請求項２】
前記コード情報には、横書き、縦書きのいずれかを選択するための書式制御情報が含まれていることを特徴とする請求項１に記載の携帯型プリンタ。
【請求項３】
前記コード情報には、印字フォント及びフォントサイズを選択するためのフォント制御情報が含まれていることを特徴とする請求項１又は２に記載の携帯型プリンタ。
【発明の詳細な説明】
【技術分野】
【０００１】
本発明は、携帯電話からの文字データ等を印字する携帯型プリンタに関する。
【背景技術】
【０００２】
近年の携帯電話は、通話に限らず、電子メールの送受信やインターネットへのアクセス等が可能となっているばかりか、内蔵カメラによって画像を撮影できるようになっている。一方、このような携帯電話の普及に伴い、携帯電話によって入力された文字や電子メールの内容、さらには内蔵カメラによって撮影された画像等を手軽に印字することができる携帯型プリンタの開発も進みつつある。
【０００３】
携帯型プリンタの用い方としては、たとえば屋外において、携帯電話を用いて入力された電話番号やメールアドレス等の情報、さらにはインターネットを介して入手した地図等の情報を印字して他者に提供したりするといった方法がある。
【０００４】
ところで、一般的な携帯型プリンタは、携帯電話と専用のケーブルで接続され、携帯電話からの文字データ等を受信して印字を行うようになっている。ところが、携帯型プリンタをたとえば屋外で使用する場合、専用のケーブルを携帯する必要があるばかりか、印字の際には専用のケーブルを携帯型プリンタと携帯電話との間に接続する必要があり、非常に煩わしいものとなっている。
【０００５】
そこで、専用のケーブルを用いることなく携帯電話からの文字データ等を印字するものとして、たとえば特許文献１では、携帯電話のデータ入出力端子との接続部分と、排紙トレイから用紙を排出させるための排紙ボタンと、印字内容を選択する等の操作を行う操作パネルと、印字モード等を表示する液晶表示部等とを備えた携帯型プリンタを提案している。
【０００６】
これによれば、携帯電話のデータ入出力端子をプリンタの接続部分に接続することで、携帯電話で受信した電子メールの文字データ等を取り込んで印字することができるとともに、携帯電話への充電も行われるようになっている。
【特許文献１】特開２００１−２５１４０８号公報
【発明の開示】
【発明が解決しようとする課題】
【０００７】
ところが、上述した特許文献１に示される携帯型プリンタでは、携帯電話からの文字データ等を印字する場合、携帯電話のデータ入出力端子をプリンタの接続部分に接続し、携帯型プリンタ側の操作パネルを操作して印字フォーマットである横書き、縦書きのいずれかを選択したり、印字フォーマットである印字フォントやフォントサイズ等を選択する必要があるため、操作が煩雑となってしまう。
【０００８】
また、携帯型プリンタに印字フォーマットを選択する等の操作を行う操作パネルや、印字モード等を表示する液晶表示部等が搭載されているため、携帯型プリンタの小型化やコストダウンを図る上で妨げとなってしまう。
【０００９】
解決しようとする問題点は、携帯電話からの文字データ等を印字する場合、携帯型プリンタ側の操作パネルを操作して印字フォーマットである横書き、縦書きのいずれかを選択したり、印字フォーマットである印字フォントやフォントサイズ等を選択するようにすると、操作が煩雑となり、また携帯型プリンタに印字フォーマットを選択する等の操作を行う操作パネルや、印字モード等を表示する液晶表示部等を搭載すると、携帯型プリンタの小型化やコストダウンを図る上で妨げとなってしまうという点である。
【課題を解決するための手段】
【００１０】
本発明の携帯型プリンタは、携帯電話からの印字に関わるデータを受信して印字を行う携帯型プリンタであって、前記携帯電話からの印字に関わるデータを赤外線通信によって受信するデータ受信手段と、前記印字に関わるデータが受信されると、前記印字に関わるデータを印字データに変換する制御手段と、前記印字に関わるデータが印字データに変換されると、その印字データに基づいて印字を行う印字手段とを備え、さらにプリンタ本体の表面に、印字フォーマットを選択できるコード情報を設け、前記制御手段は、前記コード情報を内蔵カメラにより撮影して解読した前記携帯電話からの前記印字に関わるデータを受信すると、そのデータに含まれる前記印字フォーマットを解読した制御情報に基づき前記印字手段に対し印字を行わせることを特徴とする。
また、前記コード情報には、横書き、縦書きのいずれかを選択するための書式制御情報が含まれているようにすることができる。
また、前記コード情報には、印字フォント及びフォントサイズを選択するためのフォント制御情報が含まれているようにすることができる。
本発明に係る携帯型プリンタでは、プリンタ本体の表面に設けた印字フォーマットを選択できるコード情報が携帯電話の内蔵カメラにより撮影して解読され、その携帯電話からの印字に関わるデータがデータ受信手段により赤外線通信によって受信されると、制御手段によりそのデータに含まれる印字フォーマットを解読した制御情報に基づき、印字手段に対し印字を行わせることができる。
【発明の効果】
【００１１】
本発明の携帯型プリンタによれば、制御手段により携帯電話からの印字に関わるデータに含まれる印字フォーマットを解読した制御情報に基づき、印字手段に対し印字を行わせることができるようにしたので、携帯型プリンタ側での印字に関わる操作が不要となるとともに、印字内容を選択する等の操作を行う操作パネルや、印字モード等を表示する液晶表示部等の搭載が不要となり、携帯型プリンタの小型化やコストダウンを図ることができる。
【発明を実施するための最良の形態】
【００１２】
本実施形態では、携帯型プリンタに、少なくとも赤外線通信によって携帯電話からの文字データ等を受信する機能と、印字する機能とを搭載し、さらにたとえば携帯型プリンタのプリンタ本体の表面の任意の箇所に、印字フォーマットである横書き、縦書きのいずれかを選択できる書式制御情報が含まれているコード情報や、印字フォーマットである印字フォントやフォントサイズ等を選択できるフォント制御情報が含まれているコード情報を設け、これらのコード情報を内蔵カメラにより撮影して解読した携帯電話からの文字データ等を受信すると自動的に上記の印字フォーマットに基づいた印字が行われるようにし、携帯型プリンタ側での印字に関わる操作を省くとともに、従来のように、印字フォーマットを選択する等の操作を行う操作パネルや、印字モード等を表示する液晶表示部等の搭載を省くようにすることで、携帯型プリンタの小型化やコストダウンを図るようにした。
【００１３】
以下、本発明の実施の形態について説明する。
図１は本発明の携帯型プリンタの一実施形態の概要を説明するための斜視図、図２は図１の携帯型プリンタの一携帯例を示す図、図３は図１の携帯電話及び携帯型プリンタの制御部の詳細を示すブロック図、図４は図１の携帯電話側の動作を説明するためのフローチャート、図５は図１の携帯電話側のディスプレイの表示状態を示す図、図６は図１の携帯型プリンタによる印字動作を説明するためのフローチャート、図７〜図９は図１のコード情報がプリンタ本体以外に設けられている場合を説明するための図である。
【００１４】
図１に示す携帯型プリンタ１００は、たとえば赤外線通信によって携帯電話２００からの印字に関わるデータである文字、数字、絵文字等の文字データを受信し、印字する機能を有している。また、携帯型プリンタ１００は、文字、数字、絵文字等の文字データに限らず、インターネットを介して入手した印字に関わるデータである地図等の情報や携帯電話２００の後述の内蔵カメラ２０４によって撮影された印字に関わるデータである画像等の印字も可能である。携帯型プリンタ１００のプリンタ本体１０１の操作面１０２には、たとえばフィードボタン１０３及びリピートボタン１０４が設けられている。
【００１５】
フィードボタン１０３は、プリンタ本体１０１内部に装填される後述の用紙１０７を所定量だけ送る操作をしたり、印字された後述の用紙１０７を切り取るときに所定量だけ送る操作をしたりするものである。リピートボタン１０４は、携帯電話２００から受信した文字データ等を繰り返して印字する際に操作するものである。
【００１６】
また、プリンタ本体１０１の操作面１０２の角には、たとえば赤外線通信によって携帯電話２００からの文字データ等を受信するデータ受信手段としての赤外線送受信部１０５が設けられている。この赤外線送受信部１０５は、図示のように、プリンタ本体１０１の操作面１０２とプリンタ本体１０１の用紙排出面１０６に跨って設けられることにより、携帯電話２００からの文字データ等の受信角度が広くとられるようになっている。このように、携帯電話２００からの文字データ等の受信角度が広くとられることで、携帯電話２００からの文字データ等の受信が確実に行われる。
【００１７】
また、プリンタ本体１０１の用紙排出面１０６には、用紙１０７をプリンタ本体１０１内部に装填する際に開閉される開閉カバー１０８と、印字された用紙１０７を排出する排出口１０９とが設けられている。ここで、用紙１０７は、ロール状の感熱紙やロール状の普通紙を用いることができる。ただし、携帯型プリンタ１００の小型化等のためにはロール状の感熱紙の方がインクリボン等を搭載しなくてもよいので、有利である。また、印字された用紙１０７は、フィードボタン１０３を操作して所定量だけ排出口１０９から排出させた後、開閉カバー１０８の縁部に引っ掛けて端から破くようにすることで切り出すことができる。
【００１８】
また、プリンタ本体１０１の側面１１０には、バーコード又は二次元コード等のコード情報１１１，１１２が設けられている。なお、これらのコード情報１１１，１１２は、プリンタ本体１０１の側面１１０に限らず、プリンタ本体１０１の操作面１０２や用紙排出面１０６に設けられてもよい。また、これらのコード情報１１１，１１２は、プリンタ本体１０１の側面１１０に直接印刷してもよいし、ラベルに印字して貼り付けてもよい。
【００１９】
ここで、コード情報１１１には印字フォーマットである横書きを選択できる書式制御情報が含まれており、コード情報１１２には印字フォーマットである縦書きを選択できる書式制御情報が含まれている。また、それぞれのコード情報１１１，１１２には、携帯電話２００の機能を後述する文字入力送信モードに切り替えるためのモード切替制御情報も含まれている。なお、モード切替制御情報としては、文字入力送信モードに限らず、インターネットを介して入手した地図等の情報を送信するモード、内蔵カメラ２０４によって撮影された画像等を送信するモード等に切り替えるための制御情報とすることができる。
【００２０】
また、それぞれのコード情報１１１，１１２の傍には、横書きであるか縦書きであるかを示す文字が付されている。なお、コード情報１１１，１１２としては、横書き、縦書きのいずれかを選択できる書式制御情報が含まれているものに限らず、印字フォーマットである印字フォントやフォントサイズ等を選択できるフォント制御情報が含まれているものを用いてもよい。また、フォントカラーを選択できるフォント制御情報が含まれているものを用いてもよい。さらには、インターネットを介して入手した地図等の情報や、内蔵カメラ２０４によって撮影された画像等の印字サイズを選択できる画像サイズ制御情報が含まれているものを用いてもよい。また、これらの書式制御情報、フォント制御情報、画像サイズ制御情報は、それぞれ単体のコード情報としてもよいし、いずれかを組み合わせたコード情報としてもよい。
【００２１】
また、このような携帯型プリンタ１００は、たとえば図２に示すように、ベルト３００に吊り下げるようにして携帯することが可能である。このように、ベルト３００に吊り下げるようにして携帯することで、携帯の邪魔にならないばかりか、屋外等においても携帯電話２００からの文字、数字、絵文字等の文字データを手軽に印字することができる。また、文字、数字、絵文字等の文字データに限らず、インターネットを介して入手した地図等の情報や内蔵カメラ２０４によって撮影された画像等の印字も手軽に行うことができる。
【００２２】
一方、携帯電話２００には、少なくとも操作部２０１、ディスプレイ２０２、アンテナ２０３、内蔵カメラ２０４、スピーカ２０５、マイク２０６、赤外線送受信部２０７が設けられている。
【００２３】
操作部２０１は、文字、数字、絵文字等の文字データを入力できる複数の操作ボタンを有している。ディスプレイ２０２は、操作部２０１によって入力された文字、数字、絵文字等や、アンテナ２０３を介して受信した電子メールの内容やインターネットを介して入手した地図の情報等を表示する。
【００２４】
アンテナ２０３は、図示しない基地局との間で無線通信を行う際に、電波の送受信を行う。内蔵カメラ２０４は、画像を取り込む。スピーカ２０５は、音声を出力する。マイク２０６は、音声を取り込む。
【００２５】
赤外線送受信部２０７は、携帯型プリンタ１００によって文字、数字、絵文字等の文字データを印字する場合、携帯型プリンタ１００の赤外線送受信部１０５に向けて赤外線通信により文字、数字、絵文字等の文字データを送信する。この場合、その文字データには、上述したコード情報１１１，１１２のいずれかを撮影して解読された横書き、縦書きのいずれかを示す書式制御情報が含まれる。
【００２６】
なお、コード情報１１１，１１２に上述した印字フォント及びフォントサイズ等を示すフォント制御情報が含まれている場合には、その文字データにはフォント制御情報が含まれる。同様に、コード情報１１１，１１２に上述したインターネットを介して入手した地図等の情報や、内蔵カメラ２０４によって撮影された画像等の印字サイズを選択できる画像サイズ制御情報が含まれている場合には、携帯電話２００から送信されるデータには画像サイズ制御情報が含まれる。
【００２７】
次に、携帯型プリンタ１００及び携帯電話２００の制御系について説明する。
図３に示すように、携帯型プリンタ１００の制御部１２０は、ＣＰＵ１２１、ＲＯＭ１２２、ＲＡＭ１２３、印字制御部１２４、入出力インターフェイス（Ｉ／Ｏ  ＩＦ）１２５を備えている。これらは、バス１２６を介して接続されている。
【００２８】
制御手段としてのＣＰＵ１２１は、ＲＯＭ１２２に記憶されている制御プログラムに基づいて各部の動作を制御する。また、ＣＰＵ１２１は、携帯電話２００から上述した文字データ等を受信すると、その文字データ等を一旦ＲＡＭ１２３に格納するとともに、その文字データ等を印字データに変換して印字制御部１２４に対し印字を行わせるように制御する。
【００２９】
ＣＰＵ１２１が印字制御部１２４に対して文字データに対する印字制御を行う場合、上述した書式制御情報に基づき横書き又は縦書きのいずれかで印字するように制御する。同様に、上述したフォント制御情報の場合には、選択された印字フォントやフォントサイズ等に基づき、印字制御部１２４に対する印字制御が行われる。また、上述した画像サイズ制御情報の場合には、選択された印字サイズに基づき、印字制御部１２４に対する印字制御が行われる。
【００３０】
ＲＯＭ１２２は、制御プログラム等を格納している。ＲＡＭ１２３は、印字用のバッファ等として機能する。印字制御部１２４は、印字手段としての印字ヘッド１１３に対して印字データを出力することにより印字ヘッド１１３による印字動作を制御する。入出力インターフェイス１２５は、赤外線送受信部１０５を介して携帯電話２００からの文字データ等を取り込んだり、フィードボタン１０３及びリピートボタン１０４による操作入力を受け付けたりする。
【００３１】
一方、携帯電話２００の制御部２１０は、ＣＰＵ２１１、ＲＯＭ２１２、ＲＡＭ２１３、ＤＳＰ（デジタル信号プロセッサ）２１４、無線部コントローラ２１５、無線部２１６、画像処理部２１７、入出力インターフェイス（Ｉ／Ｏ  ＩＦ）２１８を備えている。これらは、バス２１９を介して接続されている。
【００３２】
ＣＰＵ２１１は、ＲＯＭ２１２に記憶されている制御プログラムに基づいて各部の動作を制御する。ＲＯＭ２１２は、たとえばフラッシュメモリのような書き換え可能な不揮発性メモリであり、ディスプレイ２０２に表示されるビットマップイメージ形式のフォントデータや、仮名漢字変換プログラムや、ＣＰＵ２１１の動作に必要な制御プログラムや、内蔵カメラ２０４によって取り込まれた上述のコード情報１１１，１１２を解読するプログラム等を格納している。
【００３３】
ＲＡＭ２１３には、ディスプレイ２０２に表示される文字データ等が表示用データとして展開される。また、ＲＡＭ２１３には、インターネットを介して入手した地図等の情報や内蔵カメラ２０４によって撮影された画像等も格納される。
【００３４】
ＤＳＰ２１４は、音声処理をするためのプロセッサであり、図示しないＡ／Ｄ変換器によりマイク２０６から取り込んだアナログ音声信号をデジタル音声信号に変換するとともに、図示しないＤ／Ａ変換器によりデジタル音声信号をアナログ音声信号に変換してスピーカ２０５に出力する。
【００３５】
無線部コントローラ２１５は、ＣＰＵ２１１からの制御信号に基づき、無線部２１６の動作を制御する。無線部２１６は、音声データや文字データ等をデジタル信号としてアンテナ２０３から図示しない基地局へ無線送信したり、基地局からの音声データや文字データ等のデジタル信号を受信したりする。
【００３６】
画像処理部２１７は、ＣＰＵ２１１からの制御信号に基づき、内蔵カメラ２０４によって取り込まれたコード情報１１１，１１２を、ＲＯＭ２１２に格納されているコード情報解読プログラムを用いて解読する。
【００３７】
入出力インターフェイス２１８は、操作部２０１からの操作入力を受け付けたり、内蔵カメラ２０４からの画像を受け付けたり、ディスプレイ２０２に表示させるための情報を送出したりする。また、入出力インターフェイス２１８は、たとえば操作部２０１によって操作入力された文字、数字、絵文字等の文字データを携帯型プリンタ１００側に送信する場合、赤外線送受信部２０７にその文字データを出力する。
【００３８】
次に、上述した携帯型プリンタ１００による印字動作について説明する。
まず、図４に示すように、携帯電話２００の内蔵カメラ２０４により、携帯型プリンタ１００の側面１１０に設けられているバーコード又は二次元コード等のコード情報１１１，１１２のいずれかを撮影する（ステップＳ１）。ここで、横書きを選択する場合にはコード情報１１１を撮影し、縦書きを選択する場合にはコード情報１１２を撮影すればよい。ここで、たとえば横書きを選択できるコード情報１１１が内蔵カメラ２０４によって撮影されると、ＣＰＵ２１１から画像処理部２１７にコード情報１１１の解読指令が出される。
【００３９】
これにより、画像処理部２１７がＲＯＭ２１２に格納されているコード情報解読プログラムを用いて内蔵カメラ２０４によって取り込まれたコード情報１１１を解読する。そして、そのコード情報１１１は、ＣＰＵ２１１によりテキストデータとして認識される（ステップＳ２）。ここで、そのコード情報１１１には、上述したように、文字入力送信モードに切り替えるためのモード切替制御情報や横書きを選択できる書式制御情報等が含まれているため、これらの情報がＣＰＵ２１１によりテキストデータとして認識されることになる。
【００４０】
そして、その制御情報に基づきＣＰＵ２１１によってディスプレイ２０２が図５（ａ）に示すように文字入力送信モードに切り替えられる（ステップＳ３）。また、文字入力送信モードの画面には、図示のように、たとえば書式制御情報に基づいた「横書き」の文字が表示される。また、その文字入力送信モードの画面には、図示のように、「送信する」、「送信しない」とした選択項目が表示される。この選択項目の表示は、コード情報１１１に含まれている制御情報に基づいて行わせることができる。
【００４１】
このように、内蔵カメラ２０４によって撮影されたコード情報１１１が解読されることで、携帯電話２００の機能が文字入力送信モードに自動的に切り替えられるため、携帯電話２００の使用者が操作部２０１により携帯電話２００の機能を文字入力送信モードに切り替える操作が不要となる。
【００４２】
次いで、携帯電話２００の使用者が操作部２０１を操作することで、図５（ｂ）に示すように「あいうえ・・・かきく」等の仮名文字の文字データを入力することができる（ステップＳ４）。なお、仮名文字に限らず、英文字や漢字等の他のテキスト文字、数字、絵文字等の文字データを入力することができることは勿論である。また、入力された文字データは、ディスプレイ２０２に表示されるため（ステップＳ５）、その入力内容を確認することができる。
【００４３】
そして、文字データの入力を終了した後（ステップＳ６）、入力した文字データを携帯型プリンタ１００へ送信する（ステップＳ７）。このとき、携帯電話２００の赤外線送受信部２０７を、携帯型プリンタ１００の赤外線送受信部１０５に向け、図５（ｃ）に示すように、「送信する」を選択すると、携帯電話２００の赤外線送受信部２０７から携帯型プリンタ１００の赤外線送受信部１０５に向けて赤外線通信により文字データが送信される。この場合、文字データには、上述した印字フォーマットである横書きを示す書式制御情報が含まれている。
【００４４】
一方、携帯型プリンタ１００側においては、図６に示すように、赤外線送受信部２０７によって文字データが受信されると（ステップＳ１０）、その受信された文字データがＲＡＭ１２３に一旦格納される（ステップＳ１１）。このとき、ＣＰＵ１２１により、文字データに含まれている印字フォーマットである横書きを示す書式制御情報が確認される（ステップＳ１２）。次いで、ＣＰＵ１２１により、ＲＡＭ１２３に格納された文字データが印字データに変換された後、印字制御部１２４に対して印字の指令が出される（ステップＳ１３）。
【００４５】
このとき、印字制御部１２４から印字ヘッド１１３へその文字データに対応し、かつ横書きの印字フォーマットに応じた印字データが出力されることで（ステップＳ１４）、印字ヘッド１１３により用紙１０７への印字が行われる（ステップＳ１５）。そして、用紙１０７への印字が完了した場合、フィードボタン１０３を押して用紙１０７を適度な量だけ排出口１０９から送り出すことにより、適度の位置で用紙１０７を開閉カバー１０８の縁に引っ掛けて切り出すことができる。
【００４６】
また、リピートボタン１０４を操作すると、印字制御部１２４から印字ヘッド１１３へその文字データに対応する印字データが再度出力されることにより、印字ヘッド１１３により用紙１０７への再印字が行われる。
【００４７】
このように、本実施形態では、携帯型プリンタ１００に、少なくともたとえば赤外線通信によって携帯電話２００からの文字データ等を受信する赤外線送受信部１０５と、受信した文字データ等が印字データに変換されると、その印字データに基づいて印字を行う印字ヘッド１１３とを搭載し、さらに携帯型プリンタ１００のプリンタ本体１０１の表面の任意の箇所に、印字フォーマットである横書きを選択できる書式制御情報が含まれているコード情報１１１と、縦書きを選択できる書式制御情報が含まれているコード情報１１２とを設け、携帯電話２００の内蔵カメラ２０４によってコード情報１１１，１１２のいずれかを撮影するだけで横書き、縦書きのいずれかが選択されるようにした。
【００４８】
これにより、コード情報１１１，１１２のいずれかが携帯電話２００の内蔵カメラ２０４によって撮影されて解読され、携帯電話２００の機能が文字入力送信モードに自動的に切り替えられて文字、数字、絵文字等の文字データの入力が可能となり、入力された文字データが携帯電話２００から携帯型プリンタ１００に送信されると、携帯型プリンタ１００側にてその文字データに含まれる印字フォーマットを解読した書式制御情報に基づき、自動的に横書き又は縦書きでの印字が行われるため、携帯型プリンタ１００側での印字フォーマットに関わる操作を省くことができ、さらには従来のように、印字内容を選択する等の操作を行う操作パネルや、印字モード等を表示する液晶表示部等の搭載が不要となるため、携帯型プリンタ１００の小型化やコストダウンを図ることができる。
【００４９】
なお、本実施形態では、横書きを選択できる書式制御情報を有するコード情報１１１と、縦書きを選択できる書式制御情報を有するコード情報１１２とを別々に設けた場合について説明したが、この例に限らず、横書きを選択できる書式制御情報と縦書きを選択できる書式制御情報とを単一のコード情報とし、携帯電話２００側でそのコード情報から横書き又は縦書きのいずれかを選択できるようにしてもよい。
【００５０】
また、本実施形態では、携帯型プリンタ１００のプリンタ本体１０１に印字フォーマットである横書きを選択できる書式制御情報が含まれているコード情報１１１と、縦書きを選択できる書式制御情報が含まれているコード情報１１２とを設け、携帯電話２００の内蔵カメラ２０４によってコード情報１１１，１１２のいずれかを撮影するだけで横書き、縦書きのいずれかが選択される場合について説明したが、印字フォントやフォントサイズ等を選択できるようにする場合には、プリンタ本体１０１に印字フォントを選択できる書式制御情報が含まれているコード情報と、フォントサイズを選択できる書式制御情報が含まれているコード情報とを設け、上記同様に、携帯電話２００の内蔵カメラ２０４によってそれらのコード情報のいずれかを撮影するだけで印字フォントやフォントサイズが選択されるようにすればよい。
【００５１】
また、インターネットを介して入手した地図等の情報や内蔵カメラ２０４によって撮影された画像等も同様に、携帯電話２００から送信することで、携帯型プリンタ１００により印字されることは勿論である。この場合、プリンタ本体１０１に、インターネットを介して入手した地図等の情報を送信するモードに切り替えるためのモード切替制御情報を有するコード情報と、内蔵カメラ２０４によって撮影された画像等を送信するモード等に切り替えるためのモード切替制御情報を有するコード情報とを設け、上記同様に、携帯電話２００の内蔵カメラ２０４によってそれらのコード情報のいずれかを撮影するだけでインターネットを介して入手した地図等の情報や内蔵カメラ２０４によって撮影された画像等を送信するモードに自動的に切り替えることができる。
【００５２】
また、この場合、インターネットを介して入手した地図等の情報や、内蔵カメラ２０４によって撮影された画像等の印字サイズを選択できる画像サイズ制御情報が含まれているコード情報を設け、上記同様に、携帯電話２００の内蔵カメラ２０４によってそのコード情報を撮影するだけでインターネットを介して入手した地図等の情報や内蔵カメラ２０４によって撮影された画像等の印字サイズを選択できるようにしてもよい。
【００５３】
また、本実施形態では、プリンタ本体１０１に上述したコード情報１１１，１１２を設けた場合について説明したが、この例に限らず、たとえば図７に示すように、ロール状用紙１３０を巻き取るボビン１３１のリング部１３２に上述したコード情報１１１，１１２を設けるようにしてもよい。
【００５４】
また、図８に示すように、テープ状の印字媒体を収容するプリンタ用カセット１４０のたとえば表面１４１に上述したコード情報１１１，１１２を設けるようにしてもよい。また、たとえば図９に示すように、用紙１０７の非印字面に上述したコード情報１１１，１１２を設けるようにしてもよい。
【００５５】
また、図７〜図９のボビン１３１、プリンタ用カセット１４０、用紙１０７の場合、上述した印字フォントやフォントサイズ等を選択できるコード情報、インターネットを介して入手した地図等の情報や内蔵カメラ２０４によって撮影された画像等を送信するモード等に切り替えるためのモード切替制御情報を有するコード情報、インターネットを介して入手した地図等の情報や、内蔵カメラ２０４によって撮影された画像等の印字サイズを選択できる画像サイズ制御情報が含まれているコード情報のいずれか又はいずれかを組み合わせて設けるようにしてもよい。
【００５６】
なお、コード情報１１１，１１２をたとえばバーコードとした場合、これらのバーコードに、印字制御部１２４から印字ヘッド１１３に与えられる印字データにおけるパルス幅や印加電圧等の印加条件の設定を示す情報を含ませておくようにしてもよい。
【図面の簡単な説明】
【００５７】
【図１】本発明の携帯型プリンタの一実施形態の概要を説明するための斜視図である。
【図２】図１の携帯型プリンタの一携帯例を示す図である。
【図３】図１の携帯電話及び携帯型プリンタの制御部の詳細を示すブロック図である。
【図４】図１の携帯電話側の動作を説明するためのフローチャートである。
【図５】図１の携帯電話側のディスプレイの表示状態を示す図である。
【図６】図１の携帯型プリンタによる印字動作を説明するためのフローチャートである。
【図７】図１のコード情報がボビンに設けられている場合を示す図である。
【図８】図１のコード情報がプリンタ用カセットに設けられている場合を示す図である。
【図９】図１のコード情報が用紙の非印字面に設けられている場合を示す図である。
【符号の説明】
【００５８】
１００  携帯型プリンタ
１０１  プリンタ本体
１０５  赤外線送受信部
１０７  用紙
１１１  コード情報
１１２  コード情報
１１３  印字ヘッド
１２０  制御部
１２４  印字制御部
２００  携帯電話
２０１  操作部
２０２  ディスプレイ
２０４  内蔵カメラ
２０７  赤外線送受信部
２１０  制御部
【図１】
2005335316.tif 000003
【図２】
2005335316.tif 000004
【図３】
2005335316.tif 000005
【図４】
2005335316.tif 000006
【図５】
2005335316.tif 000007
【図６】
2005335316.tif 000008
【図７】
2005335316.tif 000009
【図８】
2005335316.tif 000010
【図９】
2005335316.tif 000011